Podtech/llm-jp-corpus-v4-ja_patent huggingface dataset:
【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2012504632.tif 000001
（Ｉ）
［式中、
ｕおよびｖは独立して、０、１、２、または３であり；
各Ｘは独立して、ＣＨおよびＮから選択されるが、ただしＸが窒素であるのは２つまでであり；
Ｒ１およびＲ３は独立して、水素およびメチルから選択され；
Ｒ２は、アルキル、−Ｃ（Ｏ）Ｒ７；
【化２】
2012504632.tif 000002
から選択され；
Ｒ４は、−Ｃ（Ｏ）Ｒ７；
【化３】
2012504632.tif 000003
から選択され；
ｎは、０、１、２、３、または４であり；
各Ｒ８は独立して、水素、アリールアルキル、ヘテロサイクリルアルキル、−Ｃ（Ｏ）Ｒ１０、および−Ｃ（Ｓ）Ｒ１０から選択され；
各Ｒ９は独立して、アルコキシ、アルキル、アルキルカルボニルオキシ、アリール、ハロ、ハロアルキル、ヒドロキシ、−ＮＲａＲｂ、およびオキソから選択され、ここで該アルキルは適宜、隣接炭素原子と縮合３〜６員環を形成することができ、該３〜６員環は適宜、１または２つのアルキル基で置換されてもよく；
各Ｒ５およびＲ６は独立して、アルコキシ、アルコキシアルキル、アルコキシカルボニル、アルキル、アリールアルコキシカルボニル、カルボキシ、ホルミル、ハロ、ハロアルキル、ヒドロキシ、ヒドロキシアルキル、−ＮＲａＲｂ、（ＮＲａＲｂ）アルキル、および（ＮＲａＲｂ）カルボニルから選択され；
各Ｒ７は独立して、シクロアルキル、（シクロアルキル）アルキル、およびヘテロサイクリルから選択され；並びに
各Ｒ１０は独立して、アルコキシ、アルコキシアルキル、アルキル、アリール、アリールアルケニル、アリールアルコキシ、アリールアルキル、アリールオキシアルキル、シクロアルキル、（シクロアルキル）アルキル、シクロアルキルオキシアルキル、ヘテロサイクリル、ヘテロサイクリルアルケニル、ヘテロサイクリルアルコキシ、ヘテロサイクリルアルキル、ヘテロサイクリルオキシアルキル、ヒドロキシアルキル、−ＮＲｃＲｄ、（ＮＲｃＲｄ）アルケニル、および（ＮＲｃＲｄ）アルキルから選択される］
の化合物またはその医薬的に許容される塩。
【請求項２】
ｕおよびｖが各々０である、請求項１の化合物またはその医薬的に許容される塩。
【請求項３】
各ＸがＣＨである、請求項２の化合物またはその医薬的に許容される塩。
【請求項４】
２つのＸが窒素であり、残りがＣＨである、請求項２の化合物。
【請求項５】
ｕおよびｖが０であり；
各Ｘが独立して、ＣＨおよびＮから選択されるが、ただしＸが窒素であるのは２つまでであり；
Ｒ１およびＲ３が独立して、水素およびメチルから選択され；
Ｒ２が、アルキル、−Ｃ（Ｏ）Ｒ７；
【化４】
2012504632.tif 000004
から選択され；
Ｒ４が、−Ｃ（Ｏ）Ｒ７；
【化５】
2012504632.tif 000005
から選択され；
ｎが、０、１、または２であり；
各Ｒ８が独立して、水素、アリールアルキル、ヘテロサイクリルアルキル、および−Ｃ（Ｏ）Ｒ１０から選択され；
各Ｒ９が独立して、アルコキシ、アルキルカルボニルオキシ、ヒドロキシ、およびオキソから選択され；
各Ｒ７が独立して、シクロアルキル、（シクロアルキル）アルキル、およびヘテロサイクリルから選択され；並びに
各Ｒ１０が独立して、アルコキシ、アルキル、アリール、アリールアルケニル、アリールアルコキシ、アリールアルキル、シクロアルキル、（シクロアルキル）アルキル、ヘテロサイクリル、ヘテロサイクリルアルキル、（ＮＲｃＲｄ）アルケニル、および（ＮＲｃＲｄ）アルキルから選択される、
請求項１の化合物またはその医薬的に許容される塩。
【請求項６】
請求項１の化合物またはその医薬的に許容される塩、および医薬的に許容される担体を含む組成物。
【請求項７】
抗ＨＣＶ活性を有する、少なくとも１つの別の化合物をさらに含む、請求項６の組成物。
【請求項８】
少なくとも１つの別の化合物が、インターフェロンまたはリバビリンである、請求項７の組成物。
【請求項９】
インターフェロンが、インターフェロンアルファ２Ｂ、ペグ化インターフェロンアルファ、コンセンサスインターフェロン、インターフェロンアルファ２Ａ、およびリンパ芽球インターフェロンタウから選択される、請求項８の組成物。
【請求項１０】
少なくとも１つの別の化合物が、インターロイキン２、インターロイキン６、インターロイキン１２、１型ヘルパーＴ細胞応答の発生を増強する化合物、干渉ＲＮＡ、アンチセンスＲＮＡ、イミキモド、リバビリン、イノシン５’−一リン酸脱水素酵素阻害剤、アマンタジン、およびリマンタジンから選択される、請求項７の組成物。
【請求項１１】
少なくとも１つの別の化合物が、ＨＣＶ感染の治療のために、ＨＣＶメタロプロテアーゼ、ＨＣＶセリンプロテアーゼ、ＨＣＶポリメラーゼ、ＨＣＶヘリカーゼ、ＨＣＶ ＮＳ４Ｂタンパク質、ＨＣＶエントリー（HCV entry）、ＨＣＶアセンブリ(HCV assembly)、ＨＣＶイグレス(HCV egress)、ＨＣＶ ＮＳ５Ａタンパク質、およびＩＭＰＤＨから選択される標的の機能を阻害するのに有効である、請求項７の組成物。
【請求項１２】
ＨＣＶ感染を治療するための医薬の製造における、請求項１の化合物またはその医薬的に許容される塩の使用。
【請求項１３】
抗ＨＣＶ活性を有する、少なくとも１つの別の化合物を、請求項１の化合物またはその医薬的に許容される塩の前に、後に、または同時に投与することをさらなる特徴とする、請求項１２の使用。
【請求項１４】
少なくとも１つの別の化合物が、インターフェロンまたはリバビリンである、請求項１３の使用。
【請求項１５】
インターフェロンが、インターフェロンアルファ２Ｂ、ペグ化インターフェロンアルファ、コンセンサスインターフェロン、インターフェロンアルファ２Ａ、およびリンパ芽球インターフェロンタウから選択される、請求項１４の使用。
【請求項１６】
少なくとも１つの別の化合物が、インターロイキン２、インターロイキン６、インターロイキン１２、１型ヘルパーＴ細胞応答の発生を増強する化合物、干渉ＲＮＡ、アンチセンスＲＮＡ、イミキモド、リバビリン、イノシン５’−一リン酸脱水素酵素阻害剤、アマンタジン、およびリマンタジンから選択される、請求項１３の使用。
【請求項１７】
少なくとも１つの別の化合物が、ＨＣＶ感染の治療のために、ＨＣＶメタロプロテアーゼ、ＨＣＶセリンプロテアーゼ、ＨＣＶポリメラーゼ、ＨＣＶヘリカーゼ、ＨＣＶ ＮＳ４Ｂタンパク質、ＨＣＶエントリー（HCV entry）、ＨＣＶアセンブリ(HCV assembly)、ＨＣＶイグレス(HCV egress)、ＨＣＶ ＮＳ５Ａタンパク質、およびＩＭＰＤＨから選択される標的の機能を阻害するのに有効である、請求項１３の使用。
【手続補正書】
【提出日】平成24年9月28日(2012.9.28)
【手続補正１】
【補正対象書類名】特許請求の範囲
【補正対象項目名】全文
【補正方法】変更
【補正の内容】
【特許請求の範囲】
【請求項１】
循環中のＴｈ１細胞の数を増加させることによって疾患を予防するための医薬の製造における、同種異系のＴｈ１記憶細胞を含有する組成物の使用。
【請求項２】
前記医薬が１つまたはそれより多い疾患関連抗原と組み合わせて投与されることを特徴とする、請求項１に記載の使用。
【請求項３】
前記抗原が、生きている細胞全体または生物全体である、請求項２に記載の使用。
【請求項４】
前記抗原が、不活化された細胞全体、生物全体、またはそれらからの溶解産物である、請求項２に記載の使用。
【請求項５】
前記抗原が腫瘍細胞または腫瘍細胞溶解産物である、請求項２に記載の使用。
【請求項６】
前記疾患ががんである、請求項１に記載の使用。
【請求項７】
前記疾患が感染性病原体に起因する、請求項１に記載の使用。
【請求項８】
前記疾患関連抗原が、前記医薬の投与と同時に、別々に、または該医薬の投与後に投与されることを特徴とする、請求項２に記載の使用。
【請求項９】
疾患関連抗原が前記同種異系の活性化Ｔｈ１記憶細胞と組み合わせられる、請求項１に記載の使用。
【請求項１０】
循環中のＴｈ１細胞の数を増加させることによって疾患を予防するための組成物であって、同種異系のＴｈ１記憶細胞を含有する組成物。
【請求項１１】
１つまたはそれより多い疾患関連抗原と組み合わせて投与されることを特徴とする、請求項１０に記載の組成物。
【請求項１２】
同種異系の活性化Ｔｈ１記憶細胞、および１つまたはそれより多い疾患関連抗原を含有する、患者の疾患を予防するための組み合わせ物であって、該組み合わせ物は、投与されると、該患者において循環中のＴｈ１細胞の数を増加させる、組み合わせ物。
【請求項１３】
前記抗原が、生きている細胞全体または生物全体である、請求項１１に記載の組成物または請求項１２に記載の組み合わせ物。
【請求項１４】
前記抗原が、不活化された細胞全体、生物全体、またはそれらからの溶解産物である、請求項１１に記載の組成物または請求項１２に記載の組み合わせ物。
【請求項１５】
前記抗原が腫瘍細胞または腫瘍細胞溶解産物である、請求項１１に記載の組成物または請求項１２に記載の組み合わせ物。
【請求項１６】
前記疾患ががんである、請求項１０に記載の組成物または請求項１２に記載の組み合わせ物。
【請求項１７】
前記疾患が感染性病原体に起因する、請求項１０に記載の組成物または請求項１２に記載の組み合わせ物。
【請求項１８】
前記疾患関連抗原が、前記同種異系の活性化Ｔｈ１記憶細胞の投与と同時に、別々に、または該同種異系の活性化Ｔｈ１記憶細胞の投与後に投与されることを特徴とする、請求項１２に記載の組み合わせ物。
【手続補正２】
【補正対象書類名】明細書
【補正対象項目名】００１７
【補正方法】変更
【補正の内容】
【００１７】
さらにもう１つの局面において、本開示は、腫瘍または病原体に対する、患者のためのワクチン組成物キットを含む。このキットはプライミング組成物および活性化組成物を含み、ここでは、このプライミング組成物およびこの活性化組成物は両方とも、同じ源からの、同種異系の活性化Ｔｈ１記憶細胞を含有し、そしてここでは、このプライミング組成物は、投与すると、患者において循環中のＴｈ１細胞の数を増加させる。
本発明は、例えば以下の項目を提供する。
（項目１）
処置後の、循環中のＴｈ１細胞の数を増加させることによって疾患を処置するための医薬の製造における、同種異系のＴｈ１記憶細胞を含有する組成物の使用。
（項目２）
前記組成物が１つまたはそれより多い疾患関連抗原を含む、項目１に記載の使用。
（項目３）
前記抗原が、生きている細胞全体または生物全体である、項目２に記載の使用。
（項目４）
前記抗原が、不活化された細胞全体、生物全体、またはそれらからの溶解産物である、項目２に記載の使用。
（項目５）
前記抗原が腫瘍細胞または腫瘍細胞溶解産物である、項目２に記載の使用。
（項目６）
前記疾患ががんである、項目１に記載の使用。
（項目７）
前記疾患が感染性病原体に起因する、項目１に記載の使用。
（項目８）
前記疾患関連抗原が、同時に、別々に、または、前記同種異系の活性化Ｔｈ１記憶細胞の処置後に投与される、項目２に記載の使用。
（項目９）
前記疾患関連抗原が前記同種異系の活性化Ｔｈ１記憶細胞と組み合わせられる、項目１に記載の使用。
（項目１０）
同種異系の活性化Ｔｈ１記憶細胞を含有する、患者の疾患を処置するための治療組成物であって、該治療組成物は、投与すると、患者において循環中のＴｈ１細胞の数を増加させる、組成物。
（項目１１）
１つまたはそれより多い疾患関連抗原をさらに含有する、項目１０に記載の組成物。
（項目１２）
前記抗原が、生きている細胞全体または生物全体である、項目１０に記載の組成物。
（項目１３）
前記抗原が、不活化された細胞全体、生物全体、またはそれらからの溶解産物である、項目１０に記載の組成物。
（項目１４）
前記抗原が腫瘍細胞または腫瘍細胞溶解産物である、項目１０に記載の組成物。
（項目１５）
前記疾患ががんである、項目１０に記載の組成物。
（項目１６）
前記疾患が感染性病原体に起因する、項目１０に記載の組成物。
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
細胞毒性化合物に曝露した、これから曝露する、又は曝露する虞のある患者の健康な細胞に対する細胞毒性化合物の影響を低下させる又は防止するための医薬組成物であって、有効量の阻害化合物又はその医薬的に許容可能な塩から成り、この健康な細胞が造血幹細胞又は造血前駆細胞であり、この阻害化合物がサイクリン依存性キナーゼ４（ＣＤＫ４）及び／又はサイクリン依存性キナーゼ６（ＣＤＫ６）を選択的に阻害することを特徴とする医薬組成物。
【請求項２】
前記阻害化合物が、CDK4及びCDK6の両者を阻害する請求項１に記載の医薬組成物。
【請求項３】
前記阻害化合物が、実質的にオフターゲット効果がない請求項１に記載の医薬組成物医薬組成物であって、前記オフターゲット効果が、長期の毒性、抗酸化効果、発情効果、チロシンキナーゼ阻害、サイクリン依存性キナーゼ４／６（CDK4/6）以外のサイクリン依存性キナーゼ類（CDKs）阻害、及びCDK4/6非依存性細胞における細胞周期停止からなる群の１又はそれ以上の効果である医薬組成物。
【請求項４】
前記阻害化合物が、CDK4-及び／又はCDK6-依存性細胞において、Ｇ１期停止を誘導する請求項１に記載の医薬組成物。
【請求項５】
前記阻害化合物が、ピリド[2,3-d]ピリミジン、トリアミノピリミジン、アリール[a]ピロロ[3,4-c]カルバゾール、窒素含有ヘテロアリール置換尿素、5-ピリミジニル-2-アミノチアゾール、ベンゾチアジアジン、及びアクリジンチオンから成る群から選択される請求項１に記載の医薬組成物。
【請求項６】
前記阻害化合物が、6-アセチル-8-シクロペンチル-5-メチル-2-(5-ピペラジン-1-イル-ピリジン-2-イルアミノ)-8H-ピリド-[2,3-d]ピリミジン-7-オン又は2-ブロモ-12,13-ジヒドロ-5H-インドロ[2,3-a]ピロロ[3,4]-カルバゾール-5,6-ジオンである請求項１に記載の医薬組成物。
【請求項７】
前記細胞毒性化合物が、ＤＮＡを損傷する化合物である請求項１に記載の医薬組成物。
【請求項８】
前記健康な細胞が、長期造血幹細胞（LT-HSCs）、短期造血幹細胞（ST-HSCs）、多分化能前駆細胞（MPPs）、骨髄共通前駆細胞（CMPs）、リンパ球共通前駆細胞（CLPs）、顆粒球単球前駆細胞（GMPs）及び赤芽球系前駆細胞（MEPs）からなる群から選択される請求項１に記載の医薬組成物。
【請求項９】
前記患者が、疾患を治療するために細胞毒性化合物を用いた医学的治療を受けた、受けている又はこれから受ける請求項１に記載の医薬組成物。
【請求項１０】
前記疾患が、ガンである請求項９に記載の医薬組成物。
【請求項１１】
健康な細胞における細胞毒性化合物の効果を防ぐために使用する化合物のスクリーニング方法であって、
（ｉ）試験化合物をCDK4/6依存性細胞集団に一定時間接触させる段階、
（ii）前記細胞集団の細胞周期を解析する段階、及び
（iii）前記細胞集団において選択的にＧ１期停止を誘導する試験化合物を選択する段階
から成る方法。
【請求項１２】
前記CDK4/6依存性細胞集団が、不死化ヒト二倍体繊維芽細胞又はINK4a/ARF欠失メラノーマ細胞から成る請求項１１に記載の方法。
【請求項１３】
前記細胞周期の解析が、フローサイトメトリー、蛍光測定法、細胞画像化及び蛍光分光法から成る群から選択される少なくとも１の技術を用いて行われる請求項１１に記載の方法。
【請求項１４】
前記細胞周期の解析が、前記細胞集団を、５−ブロモ−２−デオキシウリジン（BrdU）及びヨウ化プロピジウム（PI）から成る群から選択される少なくとも１の標識試薬を用いて標識することから成る請求項１１に記載の方法。
【請求項１５】
更に、
（iV）前記試験化合物が、細胞毒性化合物と接触したex vivo細胞集団において、ＤＮＡ損傷を減少させる、細胞生存を維持させる、又はその両者を行うことができるかどうかを検定することによって、該試験化合物の保護能の確認を行う段階
を含む請求項１１に記載の方法。
【請求項１６】
前記細胞集団におけるＤＮＡ損傷が、γ-H2AX検定を行うことで検定される請求項１５に記載の方法。
【請求項１７】
前記細胞毒性化合物が、ドキソルビシン、エトポシド及びカルボプラチンから成る群から選択される請求項１５に記載の方法。
【手続補正２】
【補正対象書類名】明細書
【補正対象項目名】発明の名称
【補正方法】変更
【補正の内容】
【発明の名称】健康な細胞に対する細胞毒性化合物の影響を低下させる又は防止するための医薬組成物
【手続補正３】
【補正対象書類名】明細書
【補正対象項目名】０００１
【補正方法】変更
【補正の内容】
【０００１】
本出願は、２００８年１０月１日出願の米国特許出願61/101,824に基づく優先権を主張し、本明細書にはその全体が取り込まれている。
本発明は、米国国立保健研究所から助成金番号R01AG024379-01及びK08CA90679の援助を国立加齢研究所及び国立癌研究所を通して受けた。従って、合衆国連邦政府は本発明の一定の権利を有する。
この発明は、DNA損傷性化合物のような細胞毒性化合物から健康な細胞を防護するための医薬組成物に関し、より詳細には、細胞毒性化合物に曝露した、これから曝露する、又は曝露する危険性のある患者に投与されたサイクリン依存性キナーゼ4（CDK4）及び／又はサイクリン依存性キナーゼ6（CDK6）阻害剤の防護作用に関する。
【手続補正４】
【補正対象書類名】明細書
【補正対象項目名】０００９
【補正方法】変更
【補正の内容】
【０００９】
本発明は、細胞毒性化合物に曝露した、これから曝露する、又は曝露する虞のある患者の健康な細胞に対する細胞毒性化合物の影響を低下させる又は防止するための医薬組成物であって、有効量の阻害化合物又はその医薬的に許容可能な塩から成り、この健康な細胞が造血幹細胞又は造血前駆細胞であり、この阻害化合物がサイクリン依存性キナーゼ４（ＣＤＫ４）及び／又はサイクリン依存性キナーゼ６（ＣＤＫ６）を選択的に阻害することを特徴とする医薬組成物である。
幾つかの態様において、この阻害化合物はCDK4-及びCDK6の両者を選択的に阻害する。幾つかの態様において、この阻害化合物は、非天然化合物である。
【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
式(I):
【化１】
2012504132.tif 000001
［式中、
R1は、ヒドロキシまたは-NHSO2R5から選択され;
R2は、水素、アルケニル、アルキル、またはシクロアルキルから選択され、ここで、該アルケニル、該アルキル、および該シクロアルキルは各々、１、２、３、もしくは４個のハロ基で適宜置換されており;
R3は、さらなるフェニルもしくはヘテロシクリルで置換されたフェニル基であり、ここで、該さらなるフェニルおよび該ヘテロシクリルは、アルコキシ、アルキル、シアノ、ハロ、ハロアルコキシ、ハロアルキル、もしくはヒドロキシから独立して選択される１、２、３、４、もしくは５個の置換基でさらに適宜置換されることができ;
R4は、水素、アルコキシカルボニル、アルキル、アルキルカルボニル、アルキルスルホニル、シクロアルキルオキシカルボニル、ハロアルコキシカルボニル、ハロアルキル、ハロアルキルカルボニル、ハロアルキルスルホニル、(NRaRb)カルボニル、または(NRaRb)スルホニルから選択され、ここで、該シクロアルキルオキシカルボニルのシクロアルキル部分は、１、２、もしくは３個のハロアルキル基で適宜置換されており;
R5は、アルキル、アリール、アリールアルキル、シクロアルキル、(シクロアルキル)アルキル、ヘテロシクリル、または-NRaRbから選択され;ここで、該アルキルおよびシクロアルキルは各々、アルキル、アルコキシ、ハロ、ハロアルキル、シアノ、シアノアルキル、もしくはハロアルコキシから選択される１個の基で適宜置換されており;
RaおよびRbは、独立して、水素、アルコキシ、アルキル、アリール、アリールアルキル、シクロアルキル、(シクロアルキル)アルキル、ハロアルキル、ヘテロシクリル、またはヘテロシクリルアルキルから選択され;
Xは、O、S、SO、またはSO2から選択され;そして、
Qは、独立して、アルキル、ハロ、もしくはハロアルキルから選択される１もしくは２個の基で適宜置換されたC5-9飽和もしくは不飽和鎖である］
の化合物または医薬的に許容されるその塩。
【請求項２】
R1が-NHSO2R5である、請求項１に記載の化合物または医薬的に許容されるその塩。
【請求項３】
XがSである、請求項２に記載の化合物または医薬的に許容されるその塩。
【請求項４】
QがC7-9飽和もしくは不飽和の無置換鎖である、請求項３に記載の化合物または医薬的に許容されるその塩。
【請求項５】
R3が無置換フェニル基で置換されたフェニル基である、請求項４に記載の化合物または医薬的に許容されるその塩。
【請求項６】
R2がアルケニルである、請求項５に記載の化合物または医薬的に許容されるその塩。
【請求項７】
R4がアルコキシカルボニルである、請求項６に記載の化合物または医薬的に許容されるその塩。
【請求項８】
R1が-NHSO2R5であり;
R2がアルケニルであり;そして、
R4がアルコキシカルボニルである、
請求項１に記載の化合物または医薬的に許容されるその塩。
【請求項９】
R1が-NHSO2R5であり;ここで、R5はシクロアルキルであり;
R2がアルケニルであり;
R3が無置換フェニル基で置換されたフェニル基であり;
R4がアルコキシカルボニルであり;
XがSであり;そして、
QがC7-9飽和もしくは不飽和の無置換鎖である、
請求項１に記載の化合物または医薬的に許容されるその塩。
【請求項１０】
式:
【化２】
2012504132.tif 000002
から選択される化合物または医薬的に許容されるその塩。
【請求項１１】
請求項１に記載の化合物もしくは医薬的に許容されるその塩、および医薬的に許容される担体を含有する、HCV感染症を治療するための医薬組成物。
【請求項１２】
抗-HCV活性を有する少なくとも１つのさらなる化合物をさらに含有する、請求項１１に記載の医薬組成物。
【請求項１３】
該さらなる化合物の少なくとも１つがインターフェロンまたはリバビリンである、請求項１２に記載の医薬組成物。
【請求項１４】
該インターフェロンが、インターフェロンα2B、ペグインターフェロンα、コンセンサスインターフェロン、インターフェロンα2A、またはリンパ芽球様インターフェロンタウから選択される、請求項１３に記載の医薬組成物。
【請求項１５】
該さらなる化合物の少なくとも１つが、インターロイキン2、インターロイキン6、インターロイキン12、1型ヘルパーＴ細胞応答の発生を増強する化合物、干渉RNA、アンチセンスRNA、イミキモド、リバビリン、イノシン5'-一リン酸脱水素酵素阻害剤、アマンタジン、またはリマンタジンから選択される、請求項１２に記載の医薬組成物。
【請求項１６】
該さらなる化合物の少なくとも１つが、HCV感染症の治療のために、HCVメタロプロテアーゼ、HCVセリンプロテアーゼ、HCVポリメラーゼ、HCVヘリカーゼ、HCV NS4Bタンパク質、HCVエントリー、HCVアセンブリ、HCVイグレス、HCV NS5Aタンパク質、またはIMPDHから選択される標的の機能を阻害するのに有効である、請求項１２に記載の医薬組成物。
【請求項１７】
治療上有効な量の請求項１に記載の化合物もしくは医薬的に許容されるその塩および抗-HCV活性を有する少なくとも１つのさらなる化合物を組み合わせて含有する、HCV感染症を治療するための剤であって、該さらなる化合物を請求項１に記載の化合物もしくは医薬的に許容されるその塩より前、後、もしくは同時に投与することを特徴とする、該剤。
【請求項１８】
該さらなる化合物の少なくとも１つがインターフェロンまたはリバビリンである、請求項１７に記載の剤。
【請求項１９】
該インターフェロンが、インターフェロンα2B、ペグインターフェロンα、コンセンサスインターフェロン、インターフェロンα2A、またはリンパ芽球様インターフェロンタウから選択される、請求項１８に記載の剤。
【請求項２０】
該さらなる化合物の少なくとも１つが、インターロイキン2、インターロイキン6、インターロイキン12、1型ヘルパーＴ細胞応答の発生を増強する化合物、干渉RNA、アンチセンスRNA、イミキモド、リバビリン、イノシン5'-一リン酸脱水素酵素阻害剤、アマンタジン、またはリマンタジンから選択される、請求項１７に記載の剤。
【請求項２１】
該さらなる化合物の少なくとも１つが、HCV感染症の治療のために、HCVメタロプロテアーゼ、HCVセリンプロテアーゼ、HCVポリメラーゼ、HCVヘリカーゼ、HCV NS4Bタンパク質、HCVエントリー、HCVアセンブリ、HCVイグレス、HCV NS5Aタンパク質、またはIMPDHから選択される標的の機能を阻害するのに有効である、請求項１７に記載の剤。
【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
繊維強化プリプレグ樹脂層（２６）の皺（２４）を低減する方法であって：
皺に振動を与えること
を含む方法。
【請求項２】
皺に振動を与えることは：
トランスデューサのヘッドを層と接触させ、トランスデューサのヘッド（２８）を励起して振動させ、
皺の上でトランスデューサのヘッドを動かす
ことによって行われる、請求項１に記載の方法。
【請求項３】
トランスデューサのヘッドを励起して振動させることが、トランスデューサのヘッドを励起して高周波数で振動させることを含む、請求項２に記載の方法。
【請求項４】
トランスデューサのヘッドを励起して、１５０００〜７００００Ｈｚの周波数で振動させる、請求項３に記載の方法。
【請求項５】
トランスデューサのヘッドを励起して振動させることが、トランスデューサのヘッドを励起して低振幅で振動させることを含む、請求項２に記載の方法。
【請求項６】
トランスデューサのヘッドを励起して、０．０００５インチ（０．００１２７ｃｍ）〜０．００５インチ（０．０１２７ｃｍ）の振幅で振動させる、請求項４に記載の方法。
【請求項７】
トランスデューサのヘッドが皺の上を移動している間に、トランスデューサのヘッドを使用して皺に圧力を加えること
をさらに含む、請求項２に記載の方法。
【請求項８】
保護シートをトランスデューサのヘッドと皺の間に配置することによって層を保護すること
をさらに含む、請求項２に記載の方法。
【請求項９】
皺の領域の層を加熱すること
をさらに含む、請求項２に記載の方法。
【手続補正書】
【提出日】平成24年9月26日(2012.9.26)
【手続補正１】
【補正対象書類名】明細書
【補正対象項目名】００２６
【補正方法】変更
【補正の内容】
【００２６】
図３は、第１のチャンバー３０’’の別の実施形態を示す。図３の第１のチャンバー３０’’は、図２の第１のチャンバー３０’に実質的に対応する。しかしながら、図３の第１のチャンバー３０’’は、分離壁３１’’ によって分離される２つのサブチャンバー３０’’ａ、３０’’ｂを有する。分離壁は、第１のチャンバー３０’’の底部３８’’からノズル３２’’まで延びる。第１のチャンバー３０’’の各サブチャンバー３０’’ａ、３０’’ｂは、チャネル５０と、したがって第２のチャンバー４０と流体接続する少なくとも１つの開口３６’’ａ、３６’’ｂを有する。それぞれの開口３６’’ａ、３６’’ｂ、特に各開口を通る第１のチャンバー３０’’のサブチャンバー３０’’ａ、３０’’ｂへの流量を調整するための対応する弁（図示されず）は、本明細書で述べられる他の実施形態と組み合わせることができるさらなる実施形態では開口の各々に提供されてもよい。さらに、開口３６’’ａ、３６’’ｂは、第１のチャンバー３０’’の側壁３９’’にだけでなく、底部壁３８’’にもまた配置されてもよい。図３で示される第１のチャンバー３０’’の実施形態を用いると、ノズル３２’’を通る排出は、長さＬに沿って正確に制御できる。他の実施形態と組み合わされてもよいさらなる実施形態では、第１のチャンバー３０’’は、例えば蒸発メラミンのための各開口または供給チャネルでの弁によって互いに独立して制御可能なこともある２つだけでなく３つ以上のサブチャンバーもまた包含してもよい。
【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
式
【化１】
2012504124.tif 000001
（式中、
Ｒ１は、Ｈ、−Ｃ１−Ｃ４アルキル、Ｆ、Ｃｌ、−ＣＮ、−Ｃ（Ｏ）Ｒ３、−（Ｃ１−Ｃ３アルキル）ＯＨ、−ＯＣＨ３、−Ｓ（Ｏ）２Ｒ４、−Ｓ（Ｏ）ＣＨ３、−ＣＦ３、および−Ｓ（Ｃ１−Ｃ３アルキル）からなる群より選択され、
Ｒ２は、Ｈ、Ｆ、およびＣＨ３からなる群より選択され、
Ｒ３は、ＯＨ、−ＯＣＨ３、−ＮＨ（Ｃ０−Ｃ２アルキル）、ＣＨ３、−Ｎ（ＣＨ３）２からなる群より選択され、
Ｒ４は、−Ｃ１−Ｃ４アルキル、−Ｎ（ＣＨ３）２、および−ＣＦ３からなる群より選択され、
Ｒ５は、ＨおよびＣＨ３からなる群より選択される）
の化合物、またはその薬理学的に許容可能な塩。
【請求項２】
式
【化２】
2012504124.tif 000002
（式中、
Ｒ１は、Ｈ、−Ｃ１−Ｃ４アルキル、Ｆ、Ｃｌ、−ＣＮ、−Ｃ（Ｏ）Ｒ３、−（Ｃ１−Ｃ３アルキル）ＯＨ、−ＯＣＨ３、−Ｓ（Ｏ）２Ｒ４、−Ｓ（Ｏ）ＣＨ３、および−Ｓ（Ｃ１−Ｃ３アルキル）からなる群より選択され、
Ｒ２は、Ｈ、Ｆ、およびＣＨ３からなる群より選択され、
Ｒ３は、ＯＨ、−ＯＣＨ３、−ＮＨ（Ｃ０−Ｃ２アルキル）、ＣＨ３、−Ｎ（ＣＨ３）２からなる群より選択され、
Ｒ４は、−Ｃ１−Ｃ４アルキル、−Ｎ（ＣＨ３）２、および−ＣＦ３からなる群より選択され、
Ｒ５は、ＨおよびＣＨ３からなる群より選択される）
の請求項１に記載の化合物、またはその薬理学的に許容可能な塩。
【請求項３】
Ｒ１が、Ｈ、Ｃ１−Ｃ４アルキル、Ｆ、Ｃｌ、ＣＦ３、−ＣＮ、−Ｃ（Ｏ）Ｒ３、−Ｓ（Ｏ）２Ｒ４、−Ｓ（Ｏ）ＣＨ３、および−ＳＣＨ３からなる群より選択される、請求項１に記載の化合物。
【請求項４】
Ｒ１が、−ＣＨ３である、請求項３に記載の化合物。
【請求項５】
式
【化３】
2012504124.tif 000003
の請求項１に記載の化合物、またはその薬理学的に許容可能な塩。
【請求項６】
前記塩が、塩酸塩である、請求項５に記載の化合物。
【請求項７】
薬理学的に許容可能な担体および請求項１に記載の少なくとも１つの化合物を含む、医薬組成物。
【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
０．０５〜２のｐＨを有する、濃縮され、かつ、安定な洗浄消毒用溶液であって、
ａ．２％ｗ／ｗ〜８％ｗ／ｗの過酸化水素と、
ｂ．５％ｗ／ｗ〜２０％ｗ／ｗのＣ８〜Ｃ１６直鎖アルキルアリールスルホン酸と、
ｃ．０．５％ｗ／ｗ〜５％ｗ／ｗの少なくとも１つの難溶性の環状カルボン酸であって、前記環状カルボン酸は、酸形態および塩形態で、少なくとも９：１（酸：塩）の比で存在する環状カルボン酸と、
ｄ．２％ｗ／ｗ〜１０％ｗ／ｗの少なくとも１つのブロックコポリマー界面活性剤と、
ｅ．４％ｗ／ｗ〜１５％ｗ／ｗの少なくとも１つの溶剤と、を含む洗浄消毒用溶液。
【請求項２】
前記過酸化水素の濃度は３％ｗ／ｗ〜８％ｗ／ｗである請求項１記載の溶液。
【請求項３】
前記ｐＨは０．２〜２である請求項１または２記載の溶液。
【請求項４】
前記難溶性のカルボン酸は、安息香酸および安息香酸誘導体から選択される請求項１〜３のいずれか１項に記載の溶液。
【請求項５】
前記安息香酸誘導体はサリチル酸である請求項４記載の溶液。
【請求項６】
前記溶剤は、グリコールエーテル、１〜８の炭素原子を有する短鎖アルコール、ベンジルアルコール、およびフェノキシエタノールから選択される請求項１〜５のいずれか１項に記載の溶液。
【請求項７】
前記グリコールエーテルは、プロピレングリコール  ｎ−プロピルエーテル、ジプロピレングリコール  ｎ−プロピルエーテル、プロピレングリコールメチルエーテル、ジプロピレングリコールメチルエーテル、トリプロピレングリコールモノメチルエーテル、ジプロピレングリコール  ｎ−プロピルエーテル、トリプロピレングリコール  ｎ−プロピルエーテル、ジプロピレングリコール  ｎ−ブチルエーテル、トリプロピレングリコール  ｎ−ブチルエーテル、エチレングリコールモノブチルエーテル、エチレングリコールモノヘキシルエーテル、およびジエチレングリコールモノブチルエーテルから選択される請求項６記載の溶液。
【請求項８】
プロピレングリコール  ｎ−プロピルエーテルを含む請求項７記載の溶液。
【請求項９】
前記Ｃ８〜Ｃ１６直鎖アルキルアリールスルホン酸はドデシルベンゼンスルホン酸である請求項１〜８のいずれか１項に記載の溶液。
【請求項１０】
前記少なくとも１つのブロックコポリマー界面活性剤は、（Ａ）−（Ｂ）−（Ａ）または（Ｂ）−（Ａ）−（Ｂ）、または
【化１】
2012504109.tif 000001
（ｉ．Ａは、プロピレンオキシド反復単位のブロックを示し、Ｂは、エチレンオキシド反復単位のブロックを示し、かつ、前記ブロックコポリマー界面活性剤は１５００〜３００００の分子量を有する）から選択される請求項１〜９のいずれか１項に記載の溶液。
【請求項１１】
前記少なくとも１つのブロックコポリマー界面活性剤はＰＬＵＲＯＮＩＣ  Ｌ６２である請求項１０記載の溶液。
【請求項１２】
１：１０〜１：１０００（溶液：水）の比で、水によって希釈された請求項１〜１１のいずれか１項に記載の溶液。
【手続補正書】
【提出日】平成24年9月19日(2012.9.19)
【手続補正１】
【補正対象書類名】特許請求の範囲
【補正対象項目名】全文
【補正方法】変更
【補正の内容】
【特許請求の範囲】
【請求項１】
ｉ）成分ｉ〜ｉｉに対して９０〜９９．５ｍｏｌ％のコハク酸；
ｉｉ）成分ｉ〜ｉｉに対して０．５〜１０ｍｏｌ％のアゼライン酸、セバシン酸、及び／又はブラシル酸；
ｉｉｉ）成分ｉ〜ｉｉに対して９８〜１０２ｍｏｌ％の１，３−プロパンジオール又は１，４−ブタンジオール、
ｉｖ）以下の群：
多官能性イソシアネート、イソシアヌレート、オキサゾリン、無水カルボン酸、エポキシド（とりわけエポキシド含有ポリ（メタ）アクリレート）、及び／又は少なくとも三官能性のアルコール、又は少なくとも三官能性のカルボン酸
から選択される、成分ｉ〜ｉｉの全質量に対して０．０１〜５質量％の連鎖延長剤及び／又は架橋剤、
の縮合によって得られるコポリマー。
【請求項２】
ｖ）以下の群：天然の若しくは可塑化されたデンプン、天然繊維、木粉、粉砕コルク、粉砕樹皮、ナットシェル、粉砕プレスケーキ（植物精油所からのもの）、飲料、例えばビール、醸造されたレモネード、ワイン、又は酒の発酵若しくは蒸留から出る生産残渣を乾燥させたもの
から選択される有機充填材、及び／又は、
以下の群：白亜、黒鉛、石膏、導電性カーボンブラック、酸化鉄、塩化カルシウム、ドロマイト、カオリン、二酸化ケイ素（石英）、炭酸ナトリウム、二酸化チタン、シリケート、珪灰石、雲母、モンモリロナイト、タルク、ガラス繊維、及び鉱物繊維
から選択される無機充填材
を成分ｉ〜ｉｖの全質量に対して１〜８０質量％含む、請求項１に記載のコポリマー。
【請求項３】
ｖｉ）安定剤、核形成剤、中和剤、潤滑剤と離型剤、界面活性剤、ワックス、帯電防止剤、曇り止め剤、着色剤、ＵＶ吸収剤、ＵＶ安定剤、又はその他のプラスチック添加剤を少なくとも１つ、成分ｉ〜ｉｖの全質量に対して０．１〜２質量％含む、請求項１又は２に記載のコポリマー。
【請求項４】
ｖｉｉ）少なくとも１つの可塑剤を、成分ｉ〜ｉｖの全質量に対して０．１〜１０質量％含む、請求項１から３までのいずれか１項に記載のコポリマー。
【請求項５】
請求項１から４までのいずれか１項に記載のコポリマーを５〜９５質量％、及び
以下の群：ポリ乳酸、ポリカプロラクトン、ポリヒドロキシアルカノエート、脂肪族ポリカーボネート、キトサン、グルテン、及び脂肪族ポリエステル、例えばポリブチレンサクシネート、又はポリブチレンサクシネート−アジペート
から選択されるポリマーを９５〜５質量％、
相溶化剤を０〜２質量％、
含む、コポリマー混合物。
【請求項６】
成分ｉ）〜ｉｉｉ）の縮合によって粘度数（ＶＺ）が５０〜１００ｍＬ／ｇのプレポリエステルにし、引き続きジイソシアネートによる、又はエポキシド含有ポリ（メタ）アクリレートによる連鎖延長で粘度数が１００〜４５０ｍＬ／ｇのポリエステルにする、請求項１から４までのいずれか１項に記載のコポリマーの製造方法。
【請求項７】
接着剤、分散液、及び成形部材、押出成形された発泡体、粒状発泡体、ネット、及びシートを製造するための、請求項１から４までのいずれか１項に記載のコポリマーの使用、及び請求項５に記載コポリマー混合物の使用。
【請求項８】
射出成形された成形部材、例えばケータリング食器、皿、ポット、再充填可能な容器と蓋、又は植木鉢を製造するための、請求項１から４までのいずれか１項に記載のコポリマーの使用、及び請求項５に記載コポリマー混合物の使用。
【請求項９】
押出吹き込みされた、又は射出延伸吹き込みされた成形部材、例えばビンを製造するため、インライナー、重荷用袋、手提げ袋、又は冷凍用袋にシート適用するための、請求項１から４までのいずれか１項に記載のコポリマーの使用、及び請求項５に記載コポリマー混合物の使用。
【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
ドネペジル活性剤層を含む持続送達経皮ドネペジル活性剤組成物であって、該組成物が対象に局所的に適用された場合にドネペジル活性剤の治療的有効量の該対象への数日間にわたる送達を提供するように該ドネペジル活性剤層が製剤化された組成物。
【請求項２】
該ドネペジル活性剤層が：
（ａ）  該ドネペジル活性剤；
（ｂ）  経皮吸収促進剤；および
（ｃ）  感圧接着剤
を含む、請求項１記載の持続送達経皮ドネペジル活性剤組成物。
【請求項３】
該ドネペジル活性剤層が５０〜２００μｍの範囲の厚さを有する、請求項１記載の持続送達経皮ドネペジル活性剤組成物。
【請求項４】
該組成物が対象に局所的に適用された場合にドネペジル活性剤の治療的有効量の該対象への７日間以上にわたる送達を提供するように該組成物が製剤化された、請求項１記載の持続送達経皮ドネペジル活性剤組成物。
【請求項５】
該ドネペジル活性剤層がドネペジル活性剤を１０％〜２５％（ｗ／ｗ）の範囲の量にて含む、請求項１記載の持続送達経皮ドネペジル活性剤組成物。
【請求項６】
該ドネペジル活性剤がドネペジル遊離塩基である、請求項５記載の持続送達経皮ドネペジル活性剤組成物。
【請求項７】
該ドネペジル活性剤層が固体および不溶解ドネペジル活性剤を含まない、請求項１記載の持続送達経皮ドネペジル活性剤組成物。
【請求項８】
該経皮吸収促進剤がポリオキシエーテルアルコール（polyoxyether alcohol）である、請求項２記載の持続送達経皮ドネペジル活性剤組成物。
【請求項９】
該ポリオキシエーテルアルコールが、式：
ＣｍＨ２ｍ＋１（ＯＣＨ２ＣＨ２）ｎＯＨ
［式中：
ｍは８〜１８の範囲の整数であり；かつ
ｎは２〜２３の範囲の整数である］
によって記載される、請求項８記載の持続送達経皮ドネペジル活性剤組成物。
【請求項１０】
該経皮吸収促進剤がラウレス−４である、請求項９記載の持続送達経皮ドネペジル活性剤組成物。
【請求項１１】
該経皮吸収促進剤がラウレス−２３である、請求項９記載の持続送達経皮ドネペジル活性剤組成物。
【請求項１２】
該感圧接着剤がアクリルポリマーを含む、請求項２記載の持続送達経皮ドネペジル活性剤組成物。
【請求項１３】
該アクリルポリマーがアクリレートコポリマーである、請求項１２記載の持続送達経皮ドネペジル活性剤組成物。
【請求項１４】
該アクリルポリマーがカルボン酸官能基を含む、請求項１３記載の持続送達経皮ドネペジル活性剤組成物。
【請求項１５】
該感圧接着剤がＤＵＲＯ−ＴＡＫ  ８７−２８５２（登録商標）感圧接着剤と実質的に同一または同一である、請求項１４記載の持続送達経皮ドネペジル活性剤組成物。
【請求項１６】
１.５μｇ／ｃｍ２／ｈｒ以上の該ドネペジル活性剤の皮膚浸透速度を提供するように該組成物が製剤化されている、請求項１記載の持続送達経皮ドネペジル活性剤組成物。
【請求項１７】
２.５μｇ／ｃｍ２／ｈｒ以上の該ドネペジル活性剤の皮膚浸透速度を提供するように該組成物が製剤化されている、請求項１６記載の持続送達経皮ドネペジル活性剤組成物。
【請求項１８】
該組成物がバッキング層をさらに含む、請求項１記載の持続送達経皮ドネペジル活性剤組成物。
【請求項１９】
該組成物が剥離ライナーをさらに含む、請求項１記載の持続送達経皮ドネペジル活性剤組成物。
【請求項２０】
請求項１〜１９のいずれかに記載の持続送達経皮ドネペジル活性剤組成物；および
接着性オーバーレイ
を含むキット。
【誤訳訂正書】
【提出日】平成24年9月18日(2012.9.18)
【誤訳訂正１】
【訂正対象書類名】特許請求の範囲
【訂正対象項目名】請求項２
【訂正方法】変更
【訂正の内容】
【請求項２】
成分ｉが、
Ａ）
ａ１）少なくとも１の脂肪族の、またはそのエステル形成可能な誘導体またはその混合物３０〜９９モル％、
ａ２）少なくとも１の芳香族ジカルボン酸またはそのエステル形成可能な誘導体またはその混合物１〜７０モル％、および
ａ３）スルホネート基含有化合物０〜５モル％
からなり、その際、成分ａ１）〜ａ３）のモルパーセントは、合計して１００％である酸成分、
Ｂ）少なくとも１のＣ2〜Ｃ12−アルカンジオールまたはこれらの混合物からなるジオール成分、
および所望の場合にはさらに
Ｃ）
ｃ１）式Ｉ
ＨＯ−［（ＣＨ2）n−Ｏ］m−Ｈ      （Ｉ）
［式中、ｎは、２、３または４を表し、かつｍは、２〜２５０の整数を表す］の少なくとも１の、エーテル官能基を有するジヒドロキシ化合物、
ｃ２）式ＩＩａまたはＩＩｂ
【化１】
2012504166.tif 000001
［式中、ｐは、１〜１５００の整数を表し、かつｒは、１〜４の整数を表し、かつＧは、フェニレン、α−ヒドロキシフェニレン、−（ＣＨ2）q−（式中、ｑは、１〜５の整数を表す）、−Ｃ（Ｒ）Ｈ−および−Ｃ（Ｒ）ＨＣＨ2（式中、Ｒは、メチルまたはエチルを表す）からなる群から選択される基を表す］の少なくとも１のヒドロキシカルボン酸、
ｃ３）少なくとも１のアミノ−Ｃ2〜Ｃ12−アルカノールまたは少なくとも１のアミノ−Ｃ5〜Ｃ10−シクロアルカノールまたはこれらの混合物、
ｃ４）少なくとも１のジアミノ−Ｃ1〜Ｃ8−アルカン、
ｃ５）一般式ＩＩＩ
【化２】
2012504166.tif 000002
［式中、Ｒ1は、単結合、（ＣＨ2）z−アルキレン基（式中、ｚ＝２、３または４を表す）またはフェニレン基を表す］の少なくとも１の２，２′−ビスオキサゾリン、
ｃ６）天然のアミノ酸からなる群から選択される少なくとも１種のアミノカルボン酸、４〜６個の炭素原子を有するジカルボン酸と、４〜１０個の炭素原子を有するジアミンとの重縮合により得られるポリアミド、式ＩＶａおよびＩＶｂ
【化３】
2012504166.tif 000003
［式中、ｓは、１〜１５００の整数を表し、かつｔは、１〜４の整数を表し、かつＴは、フェニレン、−（ＣＨ2）u−（式中、ｕは１〜１２の整数を表す）、−Ｃ（Ｒ2）Ｈ−および−Ｃ（Ｒ2）ＨＣＨ2（式中、Ｒ2は、メチルまたはエチルを表す）］の化合物、および繰り返し単位Ｖ
【化４】
2012504166.tif 000004
［式中、Ｒ3は、水素、Ｃ1〜Ｃ6−アルキル、Ｃ5〜Ｃ8−シクロアルキル、非置換の、もしくはＣ1〜Ｃ4−アルキル基により３回まで置換されたフェニルを表すか、またはテトラヒドロフリルを表す］を有するポリオキサゾリン、
またはｃ１）〜ｃ６）からなる混合物
から選択される成分、および
Ｄ）
ｄ１）エステル形成可能な基を少なくとも３つ有する化合物、
ｄ２）ジイソシアネートまたはポリイソシアネート、
ｄ３）ジエポキシドまたはポリエポキシド、
またはｄ１）〜ｄ３）からなる混合物
からなる群から選択される成分
から選択される１もしくは複数の成分
から構成されている、請求項１記載の生分解性ポリマー混合物。
【誤訳訂正２】
【訂正対象書類名】明細書
【訂正対象項目名】０００９
【訂正方法】変更
【訂正の内容】
【０００９】
特に有利な部分芳香族ポリエステルには、本質的な成分として、
Ａ）
ａ１）少なくとも１の脂肪族の、またはそのエステル形成可能な誘導体またはその混合物３０〜９９モル％、
ａ２）少なくとも１の芳香族ジカルボン酸またはそのエステル形成可能な誘導体またはその混合物１〜７０モル％、および
ａ３）スルホネート基含有化合物０〜５モル％
からなる酸成分、
Ｂ）少なくとも１のＣ2〜Ｃ12−アルカンジオールまたはこれらの混合物からなるジオール成分、
および所望の場合にはさらに
Ｃ）
ｃ１）式Ｉ
ＨＯ−［（ＣＨ2）n−Ｏ］m−Ｈ      （Ｉ）
［式中、ｎは、２、３または４を表し、かつｍは、２〜２５０の整数を表す］の少なくとも１の、エーテル官能基を有するジヒドロキシ化合物、
ｃ２）式ＩＩａまたはＩＩｂ
【化１】
2012504166.tif 000005
［式中、ｐは、１〜１５００の整数を表し、かつｒは、１〜４の整数を表し、かつＧは、フェニレン、ｏ−ヒドロキシフェニレン、−（ＣＨ2）q−（式中、ｑは、１〜５の整数を表す）、−Ｃ（Ｒ）Ｈ−および−Ｃ（Ｒ）ＨＣＨ2（式中、Ｒは、メチルまたはエチルを表す）からなる群から選択される基を表す］の少なくとも１のヒドロキシカルボン酸、
ｃ３）少なくとも１のアミノ−Ｃ2〜Ｃ12−アルカノールまたは少なくとも１のアミノ−Ｃ5〜Ｃ10−シクロアルカノールまたはこれらの混合物、
ｃ４）少なくとも１のジアミノ−Ｃ1〜Ｃ8−アルカン、
ｃ５）一般式ＩＩＩ
【化２】
2012504166.tif 000006
［式中、Ｒ1は、単結合、（ＣＨ2）z−アルキレン基（式中、ｚ＝２、３または４を表す）またはフェニレン基を表す］の少なくとも１の２，２′−ビスオキサゾリン、
ｃ６）天然のアミノ酸からなる群から選択される少なくとも１種のアミノカルボン酸、４〜６個の炭素原子を有するジカルボン酸と、４〜１０個の炭素原子を有するジアミンとの重縮合により得られるポリアミド、式ＩＶａおよびＩＶｂ
【化３】
2012504166.tif 000007
［式中、ｓは、１〜１５００の整数を表し、かつｔは、１〜４の整数を表し、かつＴは、フェニレン、−（ＣＨ2）u−（式中、ｕは１〜１２の整数を表す）、−Ｃ（Ｒ2）Ｈ−および−Ｃ（Ｒ2）ＨＣＨ2（式中、Ｒ2は、メチルまたはエチルを表す）］の化合物、および繰り返し単位Ｖ
【化４】
2012504166.tif 000008
［式中、Ｒ3は、水素、Ｃ1〜Ｃ6−アルキル、Ｃ5〜Ｃ8−シクロアルキル、非置換の、もしくはＣ1〜Ｃ4−アルキル基により３回まで置換されたフェニルを表すか、またはテトラヒドロフリルを表す］を有するポリオキサゾリン、
またはｃ１）〜ｃ６）からなる混合物
から選択される成分および
Ｄ）
ｄ１）エステル形成可能な基を少なくとも３つ有する化合物、
ｄ２）ジイソシアネートまたはポリイソシアネート、
ｄ３）ジエポキシドまたはポリエポキシド、
またはｄ１）〜ｄ３）からなる混合物
からなる群から選択される成分
を含有するポリエステルが属する。
【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2012504153.tif 000001
（式中、Ｒ１は、ハロゲン化アルキル基であり、
ＺおよびＹは独立して、炭素またはヘテロ原子を表し、
Ａは、環において０、１、２または３個の原子を含む、ＺとＹの間の結合基である）
の環式化合物を製造する方法であって、
（ａ）式Ｒ１−Ｃ（Ｏ）−Ｘ（Ｘ＝フッ素、塩素または臭素であり、Ｒ１は上記で示される意味を有する）の酸ハロゲン化物を式（ＩＩ）ＣＨ２＝ＣＨ−ＯＲ２（ＩＩ）（Ｒ２はアルキル基、アラルキル基またはアリール基である）のビニルエーテルに付加して、付加生成物を生成する工程と、
（ｂ）前記付加生成物を式（ＩＩＩ）Ｙ−Ａ−Ｚ（ＩＩＩ）（Ｚ、ＹおよびＡは上記で定義されるとおりである）の化合物と反応させる工程と、
を含む方法。
【請求項２】
Ｒ１が、ＣＦ３、ＣＦ２ＨおよびＣＦ２Ｃｌから好ましくは選択されるＣ１〜Ｃ３ハロゲン化アルキル基である、請求項１に記載の方法。
【請求項３】
前記付加生成物が、式（ＩＶ）：
【化２】
2012504153.tif 000002
［式中、Ｒ１は、ＣＦ３、ＣＦ２ＨおよびＣＦ２Ｃｌから好ましくは選択されるハロゲン化アルキル基であり、
Ｘは、ＣｌまたはＢｒであり、
Ｒ２は、アルキル基、アラルキル基またはアリール基であり、
好ましくは、Ｒ１はＣＦ３であり、ＸはＣｌであり、式（Ｖ）：
【化３】
2012504153.tif 000003
（式中、Ｒ２は、アルキル基、アラルキル基またはアリール基である）
の化合物に相当する］
の化合物を含む、請求項１または２に記載の方法。
【請求項４】
前記付加生成物が、式（ＶＩ）：
【化４】
2012504153.tif 000004
［式中、Ｒ１は、ＣＦ３、ＣＦ２ＨおよびＣＦ２Ｃｌから好ましくは選択されるハロゲン化アルキル基であり、
Ｒ２は、アルキル基、アラルキル基またはアリール基であり、
好ましくは、Ｒ１はＣＦ３であり、式（ＶＩＩ）：
【化５】
2012504153.tif 000005
（式中、Ｒ２は、アルキル基、アラルキル基またはアリール基である）
の化合物に相当する］
の化合物を含む、請求項１から３のいずれか一項に記載の方法。
【請求項５】
Ｒ２が、Ｃ１〜Ｃ４アルキル基、好ましくはエチル基である、請求項１から４のいずれか一項に記載の方法。
【請求項６】
ＺおよびＹが独立して、酸素、硫黄、窒素および炭素から選択される、請求項１から５のいずれか一項に記載の方法。
【請求項７】
ＺおよびＹのうちの少なくとも１つが窒素である、請求項６に記載の方法。
【請求項８】
Ａが、１または２個のカテナリー炭素原子を含む、請求項１から７のいずれか一項に記載の方法。
【請求項９】
式（ＩＩＩ）の前記化合物が、ヒドラジンまたはその含水化合物または塩酸塩、尿素、チオ尿素、マロン酸モノアミドおよびマロモノニトリルから選択される、請求項１から８のいずれか一項に記載の方法。
【請求項１０】
式（Ｉ）の前記化合物が、以下の式
【化６】
2012504153.tif 000006
（式中、Ａは、１または２個のカテナリーおよび／または環状原子、任意に置換されている炭素原子を含み、
Ｒ３は、ＨまたはＣ１〜Ｃ６アルキルである）
のうちの１つに相当する、請求項１から９のいずれか一項に記載の方法。
【請求項１１】
工程（ａ）で生成されたＨＸが、工程（ｂ）に供給される、請求項１から１０のいずれか一項に記載の方法。
【請求項１２】
工程（ｂ）に供給された前記付加生成物が、工程（ａ）からの粗生成物である、請求項１から１１のいずれか一項に記載の方法。
【請求項１３】
工程（ｂ）の前記反応が、範囲−１５℃〜＋８０℃の温度で行われる、請求項１から１２のいずれか一項に記載の方法。
【請求項１４】
固液分離または蒸留によって、工程（ｂ）の前記反応媒体から式（Ｉ）の前記化合物を単離することをさらに含む、請求項１から１３のいずれか一項に記載の方法。
【請求項１５】
環式化合物を形成するための、付加反応における試薬としての、式（ＩＶ）：
【化７】
2012504153.tif 000007
（式中、Ｒ１は、ＣＦ３、ＣＦ２ＨおよびＣＦ２Ｃｌから好ましくは選択されるハロゲン化アルキル基であり、
Ｘは、ＣｌまたはＢｒであり、
Ｒ２は、アルキル基、アラルキル基またはアリール基である）
の化合物の使用。
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
１日投与量が、患者当たり１０から１５０ｍｇであることを特徴とする、フィラデルフィア陰性骨髄増殖性症候群の治療において使用するための、ジエチル−［６−（４−ヒドロキシカルバモイル−フェニルカルバモイルオキシメチル）−ナフタレン−２−イル−メチル］−アンモニウムクロリド、または他の薬学的に許容される塩および／または溶媒和物。
【請求項２】
一水和物形態であることを特徴とする請求項１に記載のジエチル−［６−（４−ヒドロキシカルバモイル−フェニルカルバモイルオキシメチル）−ナフタレン−２−イル−メチル］−アンモニウムクロリド。
【請求項３】
一水和物の結晶性形態であることを特徴とする請求項１に記載のジエチル−［６−（４−ヒドロキシカルバモイル−フェニルカルバモイルオキシメチル）−ナフタレン−２−イル−メチル］−アンモニウムクロリド。
【請求項４】
１日投与量が、患者当たり３０から１２０ｍｇであることを特徴とする請求項１に記載のジエチル−［６−（４−ヒドロキシカルバモイル−フェニルカルバモイルオキシメチル）−ナフタレン−２−イル−メチル］−アンモニウムクロリド。
【請求項５】
１日投与量が、患者当たり５０から１００ｍｇであることを特徴とする請求項１に記載のジエチル−［６−（４−ヒドロキシカルバモイル−フェニルカルバモイルオキシメチル）−ナフタレン−２−イル−メチル］−アンモニウムクロリド。
【請求項６】
前記フィラデルフィア陰性骨髄増殖性症候群が、真性赤血球増加症であることを特徴とする請求項１に記載のジエチル−［６−（４−ヒドロキシカルバモイル−フェニルカルバモイルオキシメチル）−ナフタレン−２−イル−メチル］−アンモニウムクロリド。
【請求項７】
前記フィラデルフィア陰性骨髄増殖性症候群が、本態性血小板血症であることを特徴とする請求項１に記載のジエチル−［６−（４−ヒドロキシカルバモイル−フェニルカルバモイルオキシメチル）−ナフタレン−２−イル−メチル］−アンモニウムクロリド。
【請求項８】
前記フィラデルフィア陰性骨髄増殖性症候群が、原発性骨髄線維症であることを特徴とする請求項１に記載のジエチル−［６−（４−ヒドロキシカルバモイル−フェニルカルバモイルオキシメチル）−ナフタレン−２−イル−メチル］−アンモニウムクロリド。
【請求項９】
前記フィラデルフィア陰性骨髄増殖性症候群が、続発性骨髄線維症であることを特徴とする請求項１に記載のジエチル−［６−（４−ヒドロキシカルバモイル−フェニルカルバモイルオキシメチル）−ナフタレン−２−イル−メチル］−アンモニウムクロリド。
【請求項１０】
他の活性成分と組み合わせて投与されないことを特徴とする請求項１に記載のジエチル−［６−（４−ヒドロキシカルバモイル−フェニルカルバモイルオキシメチル）−ナフタレン−２−イル−メチル］−アンモニウムクロリド。
【請求項１１】
少なくとも１種の他の細胞増殖抑制性活性成分と組み合わせて投与されることを特徴とする請求項１に記載のジエチル−［６−（４−ヒドロキシカルバモイル−フェニルカルバモイルオキシメチル）−ナフタレン−２−イル−メチル］−アンモニウムクロリド。